(57)【特許請求の範囲】
【請求項１】
機体前部に除雪部（２）を配設し、該除雪部（２）のオーガケース（５）内にオーガ（２３）を横架し、該オーガケース（５）は、オーガ（２３）の上方及び後方側を覆う基板（２５）と、該基板（２５）の左右に固設される側板（２４・２４）とにより構成し、該オーガ（２３）の両端をオーガケース（５）の側板（２４・２４）により支承した除雪機において、該側板（２４・２４）は、前記オーガ（２３）の回転軸（５９）を支承する上下方向の中部（２４ｂ）のみを、水平方向前方へ突出したオーガ支承部（７）とし、該オーガ支承部（７）に、該オーガパイプ（５３）を軸受け支持するフランジ（５４）を固設し、該側板（２４・２４）のオーガ支承部（７）よりも上部（２４ａ）においては、前記基板（２５）との接合部の前後に、該側板（２４・２４）を基板（２５）に固設するための短い溶接代（Ａ・Ｂ）を設け、該側板（２４・２４）のオーガ支承部（７）よりも下部（２４ｃ）においては、機体進行方向前側の基板（２５）との溶接代（Ａ）を削除し、該側板（２４・２４）の下部（２４ｃ）は、除雪部（２）方向の内側へ折り曲げ、前記オーガ（２３）の外端よりも内側に位置させたことを特徴とする除雪機。
【請求項２】
請求項１記載の除雪機において、前記側板（２４・２４）のオーガ支承部（７）の内側で、該オーガ（２３）の左右両端に、環状のオーガディスク（２２）を固設し、該オーガディスク（２２）は、その板面がオーガ（２３）の回転軸（５９）に直交するように配置し、該オーガ支承部（７）の前端部を円弧状に構成し、該オーガディスク（２２）の中心には、前記前端を円弧状に構成したオーガ支承部（７）の内側で、該オーガ支承部（７）の円弧形状の径と一致する径の開口部を設けたことを特徴とする除雪機。
【請求項３】
請求項２記載の除雪機において、前記オーガディスク（２２）の開口部の外周で、該オーガディスク（２２）の内周部に、内径部がオーガ（２３）の内側に向かう方向の勾配を有する内周部斜面（Ｍ１）を一体的に成形したことを特徴とする除雪機。
【請求項４】
請求項２記載の除雪機において、該オーガディスク（２２）の外周縁部には、内径側がオーガ（２３）の内側へ向かう方向の勾配を有する外周部斜面（Ｍ２）を一体的に形成したことを特徴とする除雪機。
【請求項５】
請求項２記載の除雪機において、前記オーガディスク（２２）の開口部の外周から、オーガディスク（２２）の外周に至るまで連続して放射状に、外側へ突出した凸状のリブ（２２ａ）を一体的に成形したことを特徴とする除雪機。
【請求項６】
請求項２記載の除雪機において、前記オーガディスク（２２）は、オーガ（２３）を構成するスパイラ（２１）の端部に固着した上で、更に、オーガ（２３）の回転軸（５９）部との間に、補強部材（５２）を架設し、該補強部材（５２）は、一端を、該スパイラ（２１）と回転軸（５９）との間に固設した補強板（５５）との接合点に固着し、他端は、該オーガディスク（２２）と接する位置で、オーガディスク（２２）の内側平面に沿うように曲げられ、曲げられた部分がオーガディスク（２２）の内側平面部と平行となるように構成し、該オーガディスク（２２）の中心から外周までの間の中途部に固着したことを特徴とする除雪機。
【発明の詳細な説明】
【０００１】
【発明の属する技術分野】
本発明は、除雪機におけるオーガ及びオーガケースの構造に関する。
【０００２】
【従来の技術】
従来、走行する機体の前部に除雪部を設け、該除雪部のオーガケース内に螺旋状のオーガを回動自在に横架し、該オーガの回転によって前方の雪を掻き込む除雪機において、オーガの外側端が遊離端になっているため、片持ち状態で雪へ突入することになり、オーガの両端部における損傷のしやすさと雪の掻き込み能力の悪さ及び遊離端の存在の安定性が指摘されていた。そこで、実開昭５７−１７４５２３号においては、オーガの外側端にオーガの軸部分にオーガディスクを、その盤面がオーガの回転軸に直交するように固着し、オーガの遊離端をオーガディスクに固定した結果、オーガの剛性が向上し、強度不足による破損のし易さ、掻き込み能力の悪さ、更に遊離端の安全性についても、オーガディスクがオーガの遊離端を覆うことにより改善された。
【０００３】
図１０は、螺旋状のオーガにオーガディスクを取り付け、その隣にオーガケース側板を配置した従来の除雪機を示している。オーガ２３はオーガギヤケース２８を中心に左右にスパイラ２１をオーガ軸５３に固着した形状であり、該オーガ２３の両端部分にオーガディスク７２を固設している。また、左右それぞれのオーガディスク７２の外側にはオーガケース７６の側板７３・７３を配置し、そして、オーガケース７６で形成された空間にオーガ２３が架設され、オーガ２３が左右のオーガケース７６の側板７３・７３に軸受け支持され、更に、オーガ２３の中央部をオーガケース７６に固設のステー７４で支持されている。
【０００４】
しかし、図１０に示す除雪機では、オーガディスクとオーガケースの側板との間に雪が詰まりやすく、これによりオーガ軸の回転が妨げられるという不具合が生じていた。そこで、図１１に示す如く、オーガケースの側板を排除してしまった除雪機が存在するが、この場合オーガケースの側板が無いので、オーガケースの側板とオーガディスクの間に雪が詰まることは無いが、一方でオーガの支持に不具合を生じている。即ち、オーガ両端部分の支持が無くなったので、オーガケース中央とオーガ中央に架設した支持ステーで、オーガを１点で支持することになるため、不安定な支持方法であるといえる。従って、支持ステー及びオーガケースの該支持ステーの取付部が強固なものでなければならず、コスト高・重量が重くなるなどの不都合があり、廉価版にて提供する小型の除雪機には採用が難しかったのである。
【０００５】
そこで、図１０に示すオーガケースに側板を設けた除雪機において、オーガディスクの外側盤面に掻き込み片を設けることにより、オーガ回転時にオーガディスクとオーガケース側板との間に詰まりがちな雪を掻き出すという改良が為され、更に、特開平３−６６８１０号においては、上記の内容に加え、オーガディスク中央に開口部を設け、オーガとオーガケースの側板との間に入り込んだ雪を開口部よりオーガ側へ導くものとされた。
【０００６】
【発明が解決しようとする課題】
上述の如く、オーガケースに側板を設けることで軽量、且つ、簡単にオーガを支持することができたのであるが、オーガケースに側板を設けたため、その除雪抵抗が存在するので、除雪能力の低下、及びオーガケースの強度不足が懸念される。オーガケースの強度を十分に確保すると、廉価にて提供する必要がある小型の除雪機では採用が難しい。また、反対に強度を落とすと、除雪抵抗によりオーガケース及びオーガに変形が生じる。従って安価で製造でき、変形しにくく、且つ、除雪抵抗の生じにくい除雪部が要求されるのである。本発明は、以上の問題に鑑み、除雪機における、特にオーガケース、オーガ及びオーガディスク等の除雪部の、除雪作業時に雪詰まりや部材の変形等の不具合を生じない構造を提供するものである。
【０００７】
【課題を解決するための手段】
本発明の解決しようとする課題は以上の如くであり、次にこの課題を解決するための手段を説明する。
【０００８】
請求項１においては、機体前部に除雪部（２）を配設し、該除雪部（２）のオーガケース（５）内にオーガ（２３）を横架し、該オーガケース（５）は、オーガ（２３）の上方及び後方側を覆う基板（２５）と、該基板（２５）の左右に固設される側板（２４・２４）とにより構成し、該オーガ（２３）の両端をオーガケース（５）の側板（２４・２４）により支承した除雪機において、該側板（２４・２４）は、前記オーガ（２３）の回転軸（５９）を支承する上下方向の中部（２４ｂ）のみを、水平方向前方へ突出したオーガ支承部（７）とし、該オーガ支承部（７）に、該オーガパイプ（５３）を軸受け支持するフランジ（５４）を固設し、該側板（２４・２４）のオーガ支承部（７）よりも上部（２４ａ）においては、前記基板（２５）との接合部の前後に、該側板（２４・２４）を基板（２５）に固設するための短い溶接代（Ａ・Ｂ）を設け、該側板（２４・２４）のオーガ支承部（７）よりも下部（２４ｃ）においては、機体進行方向前側の基板（２５）との溶接代（Ａ）を削除し、該側板（２４・２４）の下部（２４ｃ）は、除雪部（２）方向の内側へ折り曲げ、前記オーガ（２３）の外端よりも内側に位置させたものである。
【０００９】
請求項２においては、請求項１記載の除雪機において、前記側板（２４・２４）のオーガ支承部（７）の内側で、該オーガ（２３）の左右両端に、環状のオーガディスク（２２）を固設し、該オーガディスク（２２）は、その板面がオーガ（２３）の回転軸（５９）に直交するように配置し、該オーガ支承部（７）の前端部を円弧状に構成し、該オーガディスク（２２）の中心には、前記前端を円弧状に構成したオーガ支承部（７）の内側で、該オーガ支承部（７）の円弧形状の径と一致する径の開口部を設けたものである。
【００１０】
請求項３においては、請求項２記載の除雪機において、前記オーガディスク（２２）の開口部の外周で、該オーガディスク（２２）の内周部に、内径部がオーガ（２３）の内側に向かう方向の勾配を有する内周部斜面（Ｍ１）を一体的に成形したものである。
【００１１】
請求項４においては、請求項２記載の除雪機において、該オーガディスク（２２）の外周縁部には、内径側がオーガ（２３）の内側へ向かう方向の勾配を有する外周部斜面（Ｍ２）を一体的に形成したものである。
【００１２】
請求項５においては、請求項２記載の除雪機において、前記オーガディスク（２２）の開口部の外周から、オーガディスク（２２）の外周に至るまで連続して放射状に、外側へ突出した凸状のリブ（２２ａ）を一体的に成形したものである。
【００１３】
請求項６においては、請求項２記載の除雪機において、前記オーガディスク（２２）は、オーガ（２３）を構成するスパイラ（２１）の端部に固着した上で、更に、オーガ（２３）の回転軸（５９）部との間に、補強部材（５２）を架設し、該補強部材（５２）は、一端を、該スパイラ（２１）と回転軸（５９）との間に固設した補強板（５５）との接合点に固着し、他端は、該オーガディスク（２２）と接する位置で、オーガディスク（２２）の内側平面に沿うように曲げられ、曲げられた部分がオーガディスク（２２）の内側平面部と平行となるように構成し、該オーガディスク（２２）の中心から外周までの間の中途部に固着したものである。
【００１４】
【発明の実施の形態】
次に、発明の実施の形態を説明する。図１は本発明に係る除雪機の全体的な構成を示す斜視図であり、図２は同じく除雪機の除雪部の中央部を示す図、図３は同じく除雪機の除雪部の進行方向左部を示す図である。図４及び図５は本発明に係る除雪機の除雪部における進行方向左側面図であり、図６は同じく図５におけるＧ−Ｇ矢視断面図である。そして、図７は同じくオーガディスクの断面図であり、図８は同じくオーガディスクを固設したオーガを示す図、図９は同じく除雪部の進行方向右部を示す図である。また、図１０及び図１１は従来の除雪機を示す図である。
【００１５】
まず、図１乃至図３を用いて本発明に係る除雪機の全体構成を概説する。ここではクローラ形式の歩行型の除雪機としているが、本発明は本実施例に限定されるものでは無く、例えば乗用型のものや、トラクター等装着型のもの、或いは、ホイル形式等の除雪機にも適用することができる。
【００１６】
前記除雪機は、大きく本体部１と、該本体部１の進行方向前方に配設された除雪部２に分けられる。前記本体部１は走行部３３、シャーシ部３４、ボンネット部３５，操作部３６、及びカバー部３７より構成されており、カバー部３７の内部からシャーシ部３４にかけて図示せぬ原動機及び動力伝達機構を内装し、該動力伝達機構により除雪機の除雪部２及び走行部３３に動力を伝達している。また、本体部１より機体進行方向前方に位置する前記除雪部２は、雪の集積及び破砕をするオーガ部３、雪を吸い込みシュータ装置６へ跳ね飛ばすブロワ装置２９、そして該ブロワ装置２９から送られた雪を投雪方向可変なシュータ装置６からなる。
【００１７】
前記オーガ部３のオーガケース５が本体１のシャーシ部３４に連結されており、該オーガケース５は機体正面側にオーガ２３の上方及び後方側を覆う基板２５とその左右に固設される側板（２４・２４）より構成している。なお、オーガケース５とシャーシ部３４の連設方法は除雪部２のローリング及びリフティングの有無及び形式（メカ式、油圧式等）によって異なるものとなる。そして、前記オーガケース５に囲まれた空間に、オーガ２３が横架されている。前記オーガ２３はオーガギヤケース２８を中心として左右対称に構成されており、該オーガギヤケース２８の左右に突出した図示せぬオーガ軸にオーガパイプ５３・５３を嵌装してオーガ２３の回転軸５９を構成し、該オーガパイプ５３・５３の外周上に間隔をもって切り欠きを配置しているスパイラ２１・２１を、回転軸５９の回転時に雪が中央に集積されるよう勾配がつけられて巻装され、更に、該スパイラ２１・２１の遊離端はオーガパイプ５３・５３の左右に固設したオーガディスク２２・２２に、該オーガディスク２２・２２の盤面がオーガ２３の回転軸５９に直交するように固着されている。なお、オーガパイプ５３・５３はオーガギヤケース２８の左右に突出したオーガ軸に固設されたフランジ５６・５６に安全ピンをもって固定され、オーガ２３は直接オーガ軸からの駆動は受けない構造とされている。即ち、オーガ２３に過負荷がかかったときには安全ピンが切断され、オーガ軸の駆動をオーガパイプ５３・５３に伝達しないよう構成されており、オーガ軸を末端とした駆動系を損傷させないようにしている。
【００１８】
前記オーガ２３はその左右両端でオーガケース５の側板２４・２４に夫々軸受け１６・１６を介して回動自在に支持され、更に、オーガ２３中央に位置するオーガギヤケース２８にオーガケース５に螺設の支持ステー２７を介して連結することで上方へ支持されている。従って、オーガ２３は支持ステー２７によりその中央部を、オーガケース５の側板２４・２４によりその端部を、計３箇所を支持されて、軽量、且つ、簡単な構造で強固にオーガケース５に支持されているのである。なお、前記オーガギヤケース２８は後述のブロワ軸１９にも支持されて、オーガ２３の支持を更に強固なものにしている。
【００１９】
また、図２に示す如く、前記支持ステー２７の機体進行方向先端２７ａは平面でなく尖った形状になっている。該支持ステー２７及びオーガギヤケース２８の周囲は、オーガ２３回転時において、スパイラ２１・２１の回転により雪の破砕が行われないので、除雪作業時に積雪中に除雪部２が突入すると、雪の抵抗を受けてしまう可能性が大きい。従って、雪が最初に接触するステー２７の機体進行方向先端２７ａを尖り形状とすることにより、雪の抵抗を最小限に抑え、雪を後方に流すようにしたので、雪は支持ステー２７の側部を滑らかに流れ、該支持ステー２７後方に位置するブロワ装置２９へ投入される。
【００２０】
ブロワ装置２９は、本体部１の動力源から動力を取り出してブロワ軸１９を回転し、該ブロワ軸１９に固設の図示せぬファンが回転することで、オーガ２３により集積、破砕された雪を吸い込んで、ブロワ装置２９上部に配設したシュータ装置６へ跳ね飛ばす。前記ブロワ軸１９はブロワ装置２９より前方に突出してオーガギヤケース２８に動力を伝達している。オーガギヤケース２８ではブロワ軸１９により入力された回転が、ギヤにより方向を変換されてオーガ２３の回転軸５９を回転する。回転軸５９が回転すると、オーガ２３のスパイラ２１・２１が回転して雪を破砕しつつオーガケース５の中央へ雪を集積し、ブロワ装置２９のケーシング内に投入する。ブロワ装置２９に送られた雪は該ブロワ装置２９よりシュータ装置６へ跳ね飛ばされ、シュータ装置６より外部へ投げられる。
【００２１】
シュータ装置６からの投雪方向及び距離は、シュータ３１により制限される。即ち、図示せぬ機構（モータ、ロッド等）によりシュータ３１は操作部３６に設けられた操作レバー等で、シュータ３１の軸芯を中心に旋回し、更に、シュータキャップ３２の上下角度を調節し、ブロワ装置２９が跳ね飛ばした雪の投雪方向及び距離を調整するのである。
【００２２】
ここで、本発明に係る除雪機の除雪部２におけるオーガケース５の構造について詳説する。従来のオーガケースで変形しやすいとされているのは、図１０に示す従来機のオーガケース７６の側板７３の形状における、オーガ支承部７３ｂよりも上部７３ａ及び下部７３ｃである。これらは何れも除雪部２の積雪突入時に最初に積雪に接触する部分であり、支持体である基板７５から距離を有する部分であるので、強度を固持するための工夫が必要とされる。そこで、オーガケース７６の側板７３・７３にリブを設ける等の強度向上の為の処置が為されてきたが、一方、リブを設けることは、除雪作業時にオーガケース７６の側板７３・７３の側面を雪が通過していく際に抵抗となり好ましい対処とは断言できない。また、同じく図１０に示す従来のオーガケース７６の側板７３・７３におけるオーガ支承部７３ｂ・７３ｂの前端も雪中に最初に突入するが、該オーガ支承部７３ｂ・７３ｂは回転軸５９、ミッション２８、ブロワ軸１９へと続く一連のオーガ２３の支持を行っており、これらを支持することで、該側板７３・７３のオーガ支承部７３ｂ・７３ｂの剛性が高められているので、オーガケース７６の側板上部７３ａ及び下部７３ｃと比べて変形は少ない。
【００２３】
従って、図４に示す如く、オーガケース５の側板２４・２４はオーガ２３両端の支持部分にのみ存在すれば良いという結論に至り、本発明に係るオーガケース５の側板２４・２４においては、オーガ支承部７・７の上部２４ａ及び下部２４ｃの強度を確保するために、側板２４・２４を基板２５に固設するために支障がない程度に、側板２４・２４の支持体である基板２５までの距離Ａ・Ｂを短くした。即ち、従来のオーガケースにおいて変形しやすいとされていた部分（図４に鎖線で示す７３ａ・７３ｃ）を大きく抉って、オーガ支承部７が位置する側板２４の中部２４ｂのみが突出した形状となるよう成形したのである。
【００２４】
図５に示すオーガケース５は、基板２５及び該基板２５の左右両側に固設された側板２４・２４で構成されている。本実施例においては基板２５の左右に側板２４・２４を溶接したが、螺設する等の他の固設方法も可能である。前記オーガケース５の側板２４は基板２５の前後に溶接代Ａ・Ｂを設けた形状となっている。なお、該溶接代Ａ・Ｂは必須ではないが、溶接代Ａ・Ｂの幅が大きいほど雪の抵抗を進行方向に受けた場合のオーガケース５の強度確保に貢献できる。
【００２５】
そして、側板２４はオーガ２３の回転軸５９であるオーガパイプ５３を支承する中部２４ｂのみ前方へ突出した形状となっており、この突出した中部２４ｂにおけるオーガ支承部７でパイプを軸受け支持するフランジ５４を螺設している。つまり、オーガパイプ５３を支承するオーガ支承部７の略上下幅で、後部に位置するオーガケース基板２５より水平方向前方に突出して構成しているのである。なお、図６に示す如く、前記フランジ５４を螺設するためのボルト３０は、オーガケース５の両側を除雪作業時に雪が通過する際に抵抗とならないよう、ボルト頭を側板２４の厚み部分に埋め込むか、或いは、抵抗の少ない丸頭形状のボルトを採用することが望ましい。従って、本実施例においては、角根丸頭ボルト等のボルトの頭部が丸形状のものを採用している。
【００２６】
また、本実施例においては、図５及び図６に示す如く、オーガケース５の側板２４の下部２４ｃの機体進行方向前側の溶接代を削除している。そして、前記側板２４の下部２４ｃにおいて、側板２４は除雪部２内側へ折り曲げられ、オーガディスク２２が側板２４より外側に位置している。即ち、図５に示す側面視でエッジ６１からオーガケース５後端に係る範囲（Ｊ）においてオーガケース５が図６に示す幅Ｈだけ除雪部内側に控えた状態となっている。上述のオーガケース５の側板下部２４ｃの形状は、オーガ２３によって地面上の雪がブロワ装置２９に向けて掻き寄せ上げられる際に、積雪量が多い等の原因により、除雪部２内部に収まりきらなかった雪の外部への排出を目的としたものである。前述の幅Ｈだけ内側に控えたオーガケース５の側板下部２４ｃの上には、オーガ支承部７があり、掻き込まれた雪は、オーガケース５の側板２４とオーガディスク２２の間に入り込んで、該オーガ支承部７における雪詰まりの原因となるものがある。これらの雪がオーガケース５とオーガディスク２２の間に入り込もうとした際に、幅Ｈだけ内側へ控えた部分より除雪部２の外側後方へ逃がすのである。
【００２７】
また、オーガケース５下端には、該オーガケース５幅に渡ってエッジ６１が設けられており、オーガケース５への固設位置を調整することで、該エッジ６１の高さの変更が可能である。即ち、前記エッジ６１より地面までの距離を調整することができるのである。除雪部２の左右両端に夫々対称に設けられているソリ６２は、前述のエッジ６１と同様に、その取り付け高さが調整可能に構成されており、また、該ソリ６２は左右に幾分の幅を有し、地面に対し面で接して、除雪部２全体の雪面或いは地面等を平面で押さえる役割がある。これは地面に対し、オーガ２３が点接触、エッジ６１が線接触していることと比べ、最も安定した接触形態であり、ソリ６２が地面に面で接触することで除雪機の安定性を向上しているのである。
【００２８】
前記エッジ６１及びソリ６２は、図５に示す如く、標準位置において、オーガディスク２２、エッジ６１、ソリ６２が地面に接触するよう、操作部３６に設けられたリフティングレバー等により除雪部２の地面に対する高さ調整が為されている。従って、除雪作業時に、積雪はオーガ２３によって地面に雪を残すことなく除雪部２中央のブロワ装置２９に集積され、もし、雪がオーガ２３をすり抜けても、エッジ６１により除雪部２内に誘導されて、オーガ２３の処理対象とされる。なお、走行部３３が地面に接していない状態において、例えば除雪機が積雪上にある状態において、除雪作業を行う場合は、除雪部２を前記標準位置より下げて、オーガ２３を走行部３３下端より下に位置する雪中へ突入させるが、確実にオーガ２３を高さ方向において最初に雪中に投入することができるのである。
【００２９】
上述の如くオーガケース５を構成したことで、変形しやすいとされている側板上部及び下部が存在しなくなったので、リブ等の補強構造を必要とせず、雪の通過面を平面とすることが可能であるので、除雪時の抵抗が削減され、また、製造面においても単純な構造となった。即ち、オーガケース５の除雪抵抗を抑え、且つ、強度も確保できるものとなった。
【００３０】
次に、本発明に係るオーガディスク２２の構造及び該オーガディスク２２周辺の除雪時における雪の流れについて説明する。本発明に係るオーガディスク２２・２２は、図５乃至図８に示す如く、環状に一体成形され、オーガ２３の左右スパイラ２１・２１の外側端及び回転軸５９であるオーガパイプ５３・５３に貫通した固定部材５１・５１に固着されている。そして、該オーガディスク２２・２２の外周及び内周には斜面Ｍ２・Ｍ１が成形されており、外周部斜面Ｍ２は除雪部２外側方向へ、内周部斜面Ｍ１はオーガ部３内側方向へ勾配が付けられている。また、図８に示す如く、オーガディスク２２に、除雪部２外側へ向かって突出した形状の複数のリブ２２ａ・２２ａ・・が、内周部分から外周部分まで連続して放射状に成形されている。オーガディスク２２にリブ２２ａ・２２ａ・・を設ける効果の一つとして、オーガディスク２２の強度の向上が挙げられる。なお、リブ２２ａ・２２ａ・・の個数とその形状は本実施例に限定されるものではない。
【００３１】
従来、オーガディスク２２に関する不具合は、オーガディスク２２と該オーガディスク２２の外側に位置するオーガケース５の側板２４との間に雪が入り込んで、詰まりの原因となることである。本発明に係るオーガディスク２２及びオーガケース５には、これらの間に雪が留まることの無いよう工夫が為されている。前述の如く、オーガケース５の側板２４はオーガ支承部７を有する中部２４ｂのみが前方へ突出した形状であり、側面視においてオーガディスク２２とオーガケース５の重複する部分を最小限に小さくしている。従って、オーガディスクとオーガケース５の間に雪が入り込んで留まりにくい形状となっているのである。
【００３２】
更に、同じく側面視でオーガディスク２２とオーガケース５が重なる部分においては、オーガディスク２２の外側を通過する雪は、その場所に応じて何れかの方向に抜け道が用意されるよう、以下の如く構成されている。まず、図６に示す如く、オーガケース５側板２４のオーガ支承部７の内側において、オーガディスク２２の中心にオーガ支承部７の円弧形状と一致するよう開口部が設けられており、オーガケース５が壁となって雪はオーガの外側へは抜けることはできないが、該開口部を通ってオーガ２３の内側へ抜けることができる。
【００３３】
そして、オーガケース５の側板中部２４ｂのオーガ支承部７より後方には、オーガディスク２２をオーガケース５が完全に覆ってしまう重複範囲があるが、この重複範囲に入り込んだ雪もオーガディスク２２中央の開口部、或いはオーガケース５の側板２４の外側へ排出できるようオーガディスク２２にリブ２２ａ・２２ａ・・を設けている。即ち、オーガディスク２２の外周から内周まで連続して外側へ突出した形状であるリブ２２ａ・２２ａ・・が該オーガディスク２２の回転に伴って前記重複範囲から雪を掻き出し、そして、外周の斜面Ｍ１は外周部分の雪をオーガディスク２２内周部に搬送し、内周の斜面Ｍ２は搬送されてきた雪及びリブ２２ａ・２２ａ・・で掻き出した雪をオーガ２３の内側へ誘導している。
【００３４】
次に、オーガ２３へのオーガディスク２２の固着方法を図９を用いて説明する。オーガ２３のスパイラ２１の端部をオーガディスク２２に固着することで、オーガ２３の剛性は向上しているが、構造上剛性的に不安定であるスパイラ２１が荷重を受けた場合に、スパイラ２１の変形に伴ってオーガディスク２２も変形してしまう恐れがある。従って、オーガディスク２２の剛性を高めるために、該オーガディスク２２に他の剛性体を補強固着することが望ましい。
【００３５】
そこで、本実施例においては、オーガディスク２２をスパイラ２１の端部に固着した上で、更に回転軸５９とオーガディスク２２に補強部材５２を架設した。該補強部材５２の長さを十分にとることにより、オーガディスク２２のオーガ２３への固着は十分なものとなる。これに加え、オーガディスク２２とオーガ２３を強固に固着するためのオーガパイプ５３に固設の固定部材５１も、前記補強部材５２と同様に補強部材としての役割を果たしている。
【００３６】
図９示す如く、補強部材５２は、該補強部材５２が除雪作業時に雪の流れの中に入るため、抵抗を抑えるよう丸棒で構成されている。なお、補強部材５２は丸棒で構成されているが、本実施例に限定されるものではなく、例えば、長丸棒や平棒であっても構わない。そして、該補強部材５２の一端は、回転軸５９であるオーガパイプ５３及び該オーガパイプ５３に固設の補強板５５の接合点に固着されている。なお、本実施例ではオーガ２３の回転軸５９はオーガ軸にオーガパイプ５３を嵌装した形状のものであって、オーガパイプ５３に補強部材５２が固設されているが、オーガパイプ５３を有しない形状の回転軸５９である場合は、オーガ軸に補強部材５２を固設することでオーガディスク２２を補強することができる。一方、補強部材５２の他端はオーガディスク２２に固設されている。補強部材５２はオーガディスク２２と接するところで該オーガディスク２２の平面に沿うよう曲げられ、そして、曲げられた部分がオーガディスク２２の平面部に平行に横長となるよう押圧加工されて接面５２ａを形成し、オーガディスク２２の中心から外周までの間の中途部に固着している。前記補強部材５２はオーガディスク２２に面で接しており、これが線であっても構わないが、補強部材５２がオーガディスク２２に突き当たった状態で固着すると、力が集中しオーガディスク２２が突き破られる可能性があるため、上述の如く、オーガディスク２２と補強部材５２の接合部において接面５２ａを形成して固着することで、該接合部に力の集中を避けることが望ましい。
【００３７】
【発明の効果】
本発明は、以上のように構成したので、以下に示すような効果を奏する。
【００３８】
請求項１に示す如く、機体前部に除雪部（２）を配設し、該除雪部（２）のオーガケース（５）内にオーガ（２３）を横架し、該オーガケース（５）は、オーガ（２３）の上方及び後方側を覆う基板（２５）と、該基板（２５）の左右に固設される側板（２４・２４）とにより構成し、該オーガ（２３）の両端をオーガケース（５）の側板（２４・２４）により支承した除雪機において、該側板（２４・２４）は、前記オーガ（２３）の回転軸（５９）を支承する上下方向の中部（２４ｂ）のみを、水平方向前方へ突出したオーガ支承部（７）とし、該オーガ支承部（７）に、該オーガパイプ（５３）を軸受け支持するフランジ（５４）を固設し、該側板（２４・２４）のオーガ支承部（７）よりも上部（２４ａ）においては、前記基板（２５）との接合部の前後に、該側板（２４・２４）を基板（２５）に固設するための短い溶接代（Ａ・Ｂ）を設け、該側板（２４・２４）のオーガ支承部（７）よりも下部（２４ｃ）においては、機体進行方向前側の基板（２５）との溶接代（Ａ）を削除し、該側板（２４・２４）の下部（２４ｃ）は、除雪部（２）方向の内側へ折り曲げ、前記オーガ（２３）の外端よりも内側に位置させたので、オーガケース（５）の側板（２４・２４）と、オーガ（２３）との重複部分が、従来の除雪機と比べて大幅に削減されるのである。
即ち、側板（２４・２４）とオーガ（２３）との間に入り込んで雪詰まりの原因となる部分が大幅に削減されたので雪が詰まりにくくなった。即ち、除雪抵抗が減少し、除雪能力が向上したのである。
更に、進行方向に機体が進み積雪に突入したときに変形しやすいとされているオーガケース（５）の側板（２４・２４）のオーガ支承部以外の部分が、大きく抉れて、幅が狭くなっているので支持体との距離が狭まり剛性が向上して変形しにくくなった。
【００３９】
請求項２に示す如く、請求項１記載の除雪機において、前記側板（２４・２４）のオーガ支承部（７）の内側で、該オーガ（２３）の左右両端に、環状のオーガディスク（２２）を固設し、該オーガディスク（２２）は、その板面がオーガ（２３）の回転軸（５９）に直交するように配置し、該オーガ支承部（７）の前端部を円弧状に構成し、該オーガディスク（２２）の中心には、前記前端を円弧状に構成したオーガ支承部（７）の内側で、該オーガ支承部（７）の円弧形状の径と一致する径の開口部を設けたので、オーガディスク（２２）と、側板（２４・２４）との間で、側板（２４・２４）のオーガ支承部（７）の部分が、壁となって雪はオーガの外側へは抜けることはできないという不具合を、該該開口部を通ってオーガ２３の内側へ抜けるように構成することができる。
【００４０】
請求項３に示す如く、請求項２記載の除雪機において、前記オーガディスク（２２）の開口部の外周で、該オーガディスク（２２）の内周部に、内径部がオーガ（２３）の内側に向かう方向の勾配を有する内周部斜面（Ｍ１）を一体的に成形したので、オーガディスクの外側を通過する雪を、斜面に沿って該オーガディスク中央の開口部よりオーガ内側へ誘導することができるのである。
【００４１】
請求項４に示す如く、請求項２記載の除雪機において、該オーガディスク（２２）の外周縁部には、内径側がオーガ（２３）の内側へ向かう方向の勾配を有する外周部斜面（Ｍ２）を一体的に形成したので、該オーガディスク（２２）の外側を通過する雪を、斜面に沿ってオーガディスクの内側へ誘導することができるのである。
【００４２】
請求項５に示す如く、請求項２記載の除雪機において、前記オーガディスク（２２）の開口部の外周から、オーガディスク（２２）の外周に至るまで連続して放射状に、外側へ突出した凸状のリブ（２２ａ）を一体的に成形したので、オーガディスクとオーガケースの間に詰まった雪をオーガディスクの回転に伴ってリブが掻き出し、雪詰まりを解消できる。
従って、雪が詰まることでオーガ軸の回転に不具合を生じることなく除雪作業を潤滑にすすめることができるのである。
【００４３】
請求項６に示す如く、請求項２記載の除雪機において、前記オーガディスク（２２）は、オーガ（２３）を構成するスパイラ（２１）の端部に固着した上で、更に、オーガ（２３）の回転軸（５９）部との間に、補強部材（５２）を架設し、該補強部材（５２）は、一端を、該スパイラ（２１）と回転軸（５９）との間に固設した補強板（５５）との接合点に固着し、他端は、該オーガディスク（２２）と接する位置で、オーガディスク（２２）の内側平面に沿うように曲げられ、曲げられた部分がオーガディスク（２２）の内側平面部と平行となるように構成し、該オーガディスク（２２）の中心から外周までの間の中途部に固着したので、雪から過負荷を受けると変形しやすいオーガのスパイラ及びオーガディスクの剛性を向上することができる。
【図面の簡単な説明】
【図１】  本発明に係る除雪機の全体的な構成を示す斜視図である。
【図２】  同じく除雪機の除雪部の中央部を示す図である。
【図３】  同じく除雪機の除雪部の進行方向左部を示す図である。
【図４】  本発明に係る除雪機の除雪部における進行方向左側面図である。
【図５】  同じく除雪部における進行方向左側面図である。
【図６】  同じく図５におけるＧ−Ｇ矢視断面図である。
【図７】  同じくオーガディスクの断面図である。
【図８】  同じくオーガディスクを固設したオーガを示す図である。
【図９】  同じく除雪部の進行方向右部を示す図である。
【図１０】  従来の除雪機を示す図である。
【図１１】  従来の除雪機を示す図である。
【符号の説明】
２  除雪部
５  オーガケース
６  シュータ装置
２２  オーガディスク
２２ａ  リブ
２３  オーガ
２４  オーガケース側板
２９  ブロワ装置
５２  補強部材
５９  回転軸
【図１】
0004323694.tif 000002
【図２】
0004323694.tif 000003
【図３】
0004323694.tif 000004
【図４】
0004323694.tif 000005
【図５】
0004323694.tif 000006
【図６】
0004323694.tif 000007
【図７】
0004323694.tif 000008
【図８】
0004323694.tif 000009
【図９】
0004323694.tif 000010
【図１０】
0004323694.tif 000011
【図１１】
0004323694.tif 000012